【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
店舗及び又は施設のジャンルを示すアイコンを地図上に表示してユーザーを道案内するナビゲーション装置において、
前記地図上における前記アイコンの表示の設定を受け付ける入力手段と、
前記地図及びアイコンを表示する表示手段と、
前記入力手段を介して受け付けたアイコンに対応する店舗及び又は施設の情報に基づいて、前記ユーザーの嗜好に合致する前記店舗及び又は施設のジャンルを検出すると共に、該検出したジャンルにおいて、ユーザーの嗜好に合致する店舗及び又は施設の傾向を検出する嗜好検出手段と、
前記嗜好検出手段による検出結果に基づいて、前記店舗及び又は施設の情報を選択的に前記ユーザーに提供する情報選択手段と
を備えることを特徴とするナビゲーション装置。
【請求項２】
前記情報選択手段は、
前記嗜好検出手段による検出結果を、前記店舗及び又は施設の情報をダウンロード可能に保持するサーバーに通知し、前記サーバーから選択的に出力される前記店舗及び又は施設に係る情報を取得することにより、
前記サーバーに記録された前記店舗及び又は施設に係る情報を選択的に取得して、前記ユーザーに提供する
ことを特徴とする請求項１に記載のナビゲーション装置。
【請求項３】
前記店舗及び又は施設の情報を記録する記録手段を有し、
前記情報選択手段は、
前記記録手段に保持した前記店舗及び又は施設に係る情報を選択的に前記ユーザーに提供する
ことを特徴とする請求項１に記載のナビゲーション装置。
【請求項４】
前記嗜好検出手段は、
前記入力手段を介して受け付けたアイコンをジャンル毎に集計することにより、前記ユーザーの嗜好に合致する前記店舗及び又は施設のジャンルを検出し、
前記入力手段を介して受け付けたアイコンに対応する店舗及び又は施設の傾向の情報を集計することにより、ユーザーの嗜好に合致する店舗及び又は施設の傾向を検出する
ことを特徴とする請求項１に記載のナビゲーション装置。
【請求項５】
前記嗜好検出手段は、
前記入力手段を介して受け付けたアイコンの件数を、嗜好の変動要因に応じて設定された重み付け係数により重み付け処理して集計することにより、
前記ユーザーの嗜好に合致する前記店舗及び又は施設のジャンル、前記ユーザーの嗜好に合致する前記店舗及び又は施設の傾向を検出する
ことを特徴とする請求項４に記載のナビゲーション装置。
【請求項６】
前記嗜好の変動要因が、
時間を要素とした要因である
ことを特徴とする請求項５に記載のナビゲーション装置。
【請求項７】
前記嗜好の変動要因が、
移動経路である
ことを特徴とする請求項５に記載のナビゲーション装置。
【請求項８】
前記嗜好の変動要因が、
搭乗者である
ことを特徴とする請求項５に記載のナビゲーション装置。
【請求項９】
前記情報選択手段は、
前記地図上に、対応するアイコンを表示することにより、前記店舗及び又は施設の情報を選択的に前記ユーザーに提供する
ことを特徴とする請求項１に記載のナビゲーション装置。
【請求項１０】
店舗及び又は施設のジャンルを示すアイコンを地図上に表示してユーザーを道案内するナビゲーション装置において、
前記地図上における前記アイコンの表示の設定を受け付ける入力手段と、
前記地図及びアイコンを表示する表示手段と、
ネットワークを介して、前記入力手段を介して受け付けたアイコンの情報を情報処理装置に通知し、
前記情報処理装置により、前記アイコンに対応する店舗及び又は施設の情報に基づいて、前記ユーザーの嗜好に合致する前記店舗及び又は施設のジャンルを検出すると共に、該検出したジャンルにおいて、前記ユーザーの嗜好に合致する店舗及び又は施設の傾向を検出し、
前記検出結果に基づいて、前記店舗及び又は施設の情報を選択的に前記ユーザーに提供する情報選択手段と
を備えることを特徴とするナビゲーション装置。
【請求項１１】
前記情報選択手段は、
前記ネットワークを介して、前記検出結果に基づいて前記情報処理装置から選択的に出力される前記店舗及び又は施設に係る情報を取得して、前記ユーザーに提供する
ことを特徴とする請求項１０に記載のナビゲーション装置。
【請求項１２】
前記店舗及び又は施設の情報を記録する記録手段を有し、
前記情報選択手段は、
前記入力手段を介して受け付けたアイコンを前記情報処理装置に通知して、前記検出結果を取得する通信手段と、
前記通信手段で検出した検出結果に基づいて、前記記録手段に保持した前記店舗及び又は施設に係る情報を選択的に前記ユーザーに提供する情報通知手段とを有する
ことを特徴とする請求項１０に記載のナビゲーション装置。
【請求項１３】
地図を表示してユーザーを道案内するナビゲーション装置に対して、店舗及び又は施設に係る情報を提供するナビゲーション装置のサービス装置であって、
前記ナビゲーション装置は、
前記ユーザーの操作により、店舗及び又は施設のジャンルを示すアイコンについて、前記地図上における表示の設定を受け付け、前記店舗及び又は施設のジャンルを示すアイコンを対応する地図上に表示し、
前記サービス装置は、
前記ナビゲーション装置で設定を受け付けた前記アイコンの情報を取得する情報取得手段と、
前記情報取得手段で取得した前記アイコンの情報に基づいて、前記ユーザーの嗜好に合致する前記店舗及び又は施設のジャンルを検出すると共に、該検出したジャンルにおいて、ユーザーの嗜好に合致する店舗及び又は施設の傾向を検出する嗜好検出手段と、
前記嗜好検出手段による検出結果に基づいて、前記店舗及び又は施設に係る情報を選択的に前記ナビゲーション装置に通知する情報通知手段と
を備えることを特徴とするナビゲーション装置のサービス装置。
【請求項１４】
店舗及び又は施設のジャンルを示すアイコンを地図上に表示してユーザーを道案内するナビゲーション装置によるサービス提供方法において、
前記地図上に設定された前記アイコンの情報を取得するアイコン情報取得ステップと、
前記地図上に設定された前記アイコンに対応する店舗及び又は施設の情報に基づいて、前記ユーザーの嗜好に合致する前記店舗及び又は施設のジャンルを検出すると共に、該検出したジャンルにおいて、ユーザーの嗜好に合致する店舗及び又は施設の傾向を検出する嗜好検出ステップと、
前記嗜好検出ステップによる検出結果に基づいて、前記店舗及び又は施設の情報を選択的に前記ユーザーに提供する情報選択ステップと
を有することを特徴とするナビゲーション装置によるサービス提供方法。
【請求項１５】
前記情報選択ステップは、
前記嗜好検出ステップによる検出結果を、前記店舗及び又は施設の情報をダウンロード可能に保持するサーバーに通知し、前記サーバーから選択的に出力される前記店舗及び又は施設に係る情報を取得することにより、
前記サーバーに記録された前記店舗及び又は施設に係る情報を選択的に取得して、前記ユーザーに提供する
ことを特徴とする請求項１４に記載のナビゲーション装置によるサービス提供方法。
【請求項１６】
前記情報選択ステップは、
所定の記録媒体に保持した前記店舗及び又は施設に係る情報を選択的に前記ユーザーに提供する
ことを特徴とする請求項１４に記載のナビゲーション装置によるサービス提供方法。
【請求項１７】
前記嗜好検出ステップは、
前記地図上に設定された前記アイコンをジャンル毎に集計することにより、前記ユーザーの嗜好に合致する前記店舗及び又は施設のジャンルを検出し、
前記地図上に設定された前記アイコンに対応する店舗及び又は施設の傾向の情報を集計することにより、前記ユーザーの嗜好に合致する店舗及び又は施設の傾向を検出する
ことを特徴とする請求項１４に記載のナビゲーション装置によるサービス提供方法。
【請求項１８】
前記嗜好検出ステップは、
前記入力ステップを介して受け付けたアイコンの件数を、嗜好の変動要因に応じて設定された重み付け係数により重み付け処理して集計することにより、
前記ユーザーの嗜好に合致する前記店舗及び又は施設のジャンル、前記ユーザーの嗜好に合致する前記店舗及び又は施設の傾向を検出する
ことを特徴とする請求項１７に記載のナビゲーション装置によるサービス提供方法。
【請求項１９】
前記嗜好の変動要因が、
時間を要素とした要因である
ことを特徴とする請求項１８に記載のナビゲーション装置によるサービス提供方法。
【請求項２０】
前記嗜好の変動要因が、
移動経路である
ことを特徴とする請求項１８に記載のナビゲーション装置によるサービス提供方法。
【請求項２１】
前記嗜好の変動要因が、
搭乗者である
ことを特徴とする請求項１８に記載のナビゲーション装置によるサービス提供方法。
【請求項２２】
前記情報選択ステップは、
前記地図上に対応するアイコンを表示することにより、前記店舗及び又は施設の情報を選択的に前記ユーザーに提供する
ことを特徴とする請求項１４に記載のナビゲーション装置によるサービス提供方法。
【請求項２３】
前記アイコン情報取得ステップは、
所定の通信手段を介して、前記ナビゲーション装置から前記地図上に設定された前記アイコンの情報を取得し、
前記情報選択ステップは、
前記通信手段を介して、前記店舗及び又は施設の情報を選択的に前記ナビゲーション装置に通知することにより、前記店舗及び又は施設の情報を選択的にユーザーに提供する
ことを特徴とする請求項１４に記載のナビゲーション装置によるサービス提供方法。
【請求項２４】
前記アイコン情報取得ステップは、
所定の通信手段を介して、前記ナビゲーション装置から前記地図上に設定された前記アイコンの情報を取得し、
前記嗜好検出ステップは、
前記通信手段を介して、検出結果を前記ナビゲーション装置に通知し、
前記情報選択ステップにおける処理は、
前記ナビゲーション装置における処理である
ことを特徴とする請求項１４に記載のナビゲーション装置によるサービス提供方法。